(57)【要約】【課題】遊技機島に対して遊技機を取り付ける際の筐体枠の固定作業性を向上することができ、さらに幕板の裏側に内部機器が配置されても、その機器のメンテナンス性を高めることができる遊技機を提供すること。【解決手段】この遊技機は、遊技機２の周囲を囲む筐体枠４と、遊技媒体３６の流下による遊技を演出するための遊技盤６と、遊技盤を保持し、筐体枠に対して前面開閉可能に軸支された機枠８と、機枠の下方に配置され、筐体枠に対して前面開閉可能とされた幕板１０とを有している。【選択図】図１
2008194287.tif 000002
【特許請求の範囲】
【請求項１】
遊技機の周囲を囲む筐体枠と、
遊技媒体の流下による遊技を演出するための遊技盤と、
該遊技盤を保持し、前記筐体枠に対して前面開閉可能に軸支された機枠と、
該機枠の下方に配置され、前記筐体枠に対して前面開閉可能とされた幕板と、を有する遊技機。
【請求項２】
前記幕板が前記筐体枠に対して軸支され、
前記開閉が、該幕板の揺動により実現される請求項１に記載の遊技機。
【請求項３】
前記開閉が、前記筐体枠に対する前記幕板の着脱により実現される請求項１に記載の遊技機。
【請求項４】
前記幕板の閉状態時に該幕板の裏面から遊技機後方に向けて突出する内部機器をさらに有する請求項１から請求項３のうちいずれか１項に記載の遊技機。
【請求項５】
前記内部機器がスピーカである請求項４に記載の遊技機。
【発明の詳細な説明】
【技術分野】
【０００１】
本発明は、遊技機に係り、特にパチンコホールにおける遊技機島への筐体枠の固定作業性やメンテナンス性を高めた遊技機に関する。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機において、最近では遊技盤面上に図柄表示装置や変動入賞装置等の役物が配置されたものがある。
【０００４】
変動入賞装置は、例えば遊技演出用のキャラクター人形等の役物と複数種類の入賞口とを有し、変動入賞装置内に流入した球が、キャラクター人形等の動作に影響されていずれの種類の入賞口に入賞するかを楽しめるように構成されているものである。球が入賞した入賞口の種類に応じて、払い出される景品球数が異なったり、異なる種類の別遊技が開始されたりする。
【０００５】
また、図柄表示装置は、その表示画面に表示された図柄等が変動し特定の表示態様となったときに、遊技者に多量の景品球を獲得させるいわゆる「当り」を構成するためのものである。遊技機にこの図柄変動装置が配されることにより、遊技盤面の入賞口に球が入賞して所定個数の景品球払出しがされる場合のみならず、図柄変動の結果によっても多量の景品球が払い出されるので、遊技者の興趣が一層向上するようになっている。
【０００６】
図柄表示装置や変動入賞装置等の役物による遊技演出に、スピーカによる音響演出を加えてさらなる興趣向上を図ることも行われている。これらスピーカは、パチンコ機の周囲を囲む筐体枠の内部に収容されて、遊技者に向けて各種の音声を発して音響演出を行うようになっている。
【０００７】
その筐体枠の内部には、図柄表示装置や変動入賞装置を制御するための制御基板、入賞球排出や景品球払出しのための入賞球処理装置や景品球払出装置、入賞球や景品球を流下させるための球経路等も収容されている。特にこれらはメンテナンス性等の観点から、筐体枠前面に開閉可能に軸支された機枠等の枠部材の裏側や遊技盤の裏側に集約されて配置されている。パチンコ機の外形寸法は規格で定められているため、筐体枠や枠部材の外形寸法をむやみに拡大することはできず、これら制御基板等は枠部材や遊技盤の裏面に密集するように配置されている。
【０００８】
しかし、機枠等の枠部材の下方であって筐体枠の前面に固定されている幕板の裏側には各種機器や球経路が配置されずにスペースに余裕がある場合が多い。そこで、幕板の裏側のスペースを利用して、そこに音響演出用のスピーカを配置したものの例として特許文献１に開示のものがある。
【０００９】
【特許文献１】特開２００５−４６１７３号公報
【発明の開示】
【発明が解決しようとする課題】
【００１０】
パチンコ機は、パチンコホールに設置する際に、パチンコ機を多数並べて設置するための遊技機島に取り付けられる。パチンコ機の取付けは、遊技機島に形成された取付枠に対してパチンコ機の筐体枠を釘打ちして固定することで行われる。しかし、特許文献１に記載のパチンコ機のように、筐体枠の下方部にスピーカ等の内部機器が配置されていると、筐体枠の下方を釘打ちする際に内部機器が釘打ち作業の邪魔になり、作業効率が低下したり、誤って内部機器を破壊してしまったりするという問題がある。
【００１１】
また、内部機器を避けながら筐体枠の固定を行うと、釘の打ち込みが甘くなったり、適切な位置に釘打ちを行うことができない等の理由により、パチンコ機にガタ付き等が生じてしまう場合もある。さらに、幕板自体が釘打ち作業の邪魔になる場合もある。また、幕板と筐体枠に囲まれた狭い空間に配置されたスピーカは、修理や調整もしにくくメンテナンス性も低くなる。
【００１２】
本発明は上記の事情に鑑みて為されたもので、遊技機島に対して遊技機を取り付ける際の筐体枠の固定作業性を向上することができ、さらに幕板の裏側に内部機器が配置されても、その機器のメンテナンス性を高めることができる遊技機を提供することを例示的課題とする。
【課題を解決するための手段】
【００１３】
上記の課題を解決するために、本発明の例示的側面としての遊技機は、遊技機の周囲を囲む筐体枠と、遊技媒体の流下による遊技を演出するための遊技盤と、遊技盤を保持し、筐体枠に対して前面開閉可能に軸支された機枠と、機枠の下方に配置され、筐体枠に対して前面開閉可能とされた幕板とを有する。
【００１４】
幕板が筐体枠に対して前面開閉可能とされているので、幕板を開放した状態で筐体枠を遊技機島の取付枠に対し釘打ち固定を行うことができ、遊技機設置の際の固定作業性が向上する。また、幕板の裏側にスピーカ等の内部機器が配置され筐体枠に固定されていれば、幕板を開放することで内部機器の前面側に広いスペースを確保できるのでメンテナンス性も向上する。
【００１５】
なお、「幕板の裏側」には、幕板の裏面そのものの他、幕板の後方（遊技者の反対側。）の領域をも含むものとする。
【００１６】
幕板が筐体枠に対して軸支され、開閉が、幕板の揺動により実現されるものであってもよい。幕板が筐体枠に軸支されているので、幕板を開いた状態で筐体枠の釘打ち固定を行っても、その固定作業中に幕板を紛失したり、落下させて破損させたりすることがない。
【００１７】
開閉が、筐体枠に対する幕板の着脱により実現されるものであってもよい。幕板を筐体枠から着脱することができるので、幕板を取り外して筐体枠の釘打ち固定を行うことができ、作業性が向上する。また、幕板が傷ついたり、汚れてしまったりした際に、幕板の交換、修理、清掃が容易となる。
【００１８】
幕板の閉状態時に幕板の裏面から遊技機後方に向けて突出する内部機器をさらに有していてもよい。幕板の裏面から遊技機後方に向けて突出しているので、幕板を開状態とすれば、内部機器も幕板に伴って移動する。したがって、幕板を開状態とすれば、筐体枠の釘打ち固定に邪魔にならない位置に内部機器を移動させることができ、内部機器が幕板の裏面から遊技機後方に向けて突出していても遊技機取付けの際の作業性が低下しない。また、内部機器を筐体枠に囲まれた狭いスペースから、筐体枠外の広いスペースに移動させることができるので、内部機器のメンテナンス性も向上する。
【００１９】
その内部機器がスピーカであってもよい。内部機器がスピーカであるので、比較的スペースに余裕のある幕板の裏側を音響演出のために有効活用することができる。また、幕板の裏面、つまり遊技機の下方にスピーカを設置するので、遊技者の下方から効果的で迫力ある音響演出を行うことができる。
【００２０】
本発明の更なる目的又はその他の特徴は、以下添付図面を参照して説明される好ましい実施の形態によって明らかにされるであろう。
【発明の効果】
【００２１】
本発明によれば、幕板やその裏側に配置される内部機器に邪魔されることなく筐体枠を釘打ち固定することができるので、遊技機取付け時の筐体枠の固定作業性が向上する。また、幕板の裏側や裏面に内部機器が配置された場合には、それら内部機器のメンテナンス性が向上する。
【００２２】
幕板の裏側又は裏面に内部機器を配置することで、比較的スペースに余裕のある幕板の裏側を有効活用することができる。
【発明を実施するための最良の形態】
【００２３】
［実施の形態１］
以下、本発明の実施の形態１について図面を用いて説明する。図１は、本発明の実施の形態１に係る遊技機としてのパチンコ機２の外観を示す外観斜視図である。パチンコ機２は、筐体枠４、遊技盤６、機枠８、幕板１０、内部機器としてのスピーカ１１を有している。さらにパチンコ機２は、皿枠１２、前面ガラス（前面透明板）１４、装飾枠１６を有している。
【００２４】
パチンコ機２は、組合せ式パチンコ機、封入循環式パチンコ機等を含む。また、遊技機としてはパチンコ機の他に、ゲーム機、アーケードマシン等が概念できる。
【００２５】
筐体枠４は、このパチンコ機２を囲むための枠体であり、平面視略長方形に構成されている。材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠８、皿枠１２及び装飾枠１６を揺動支持するための上側ヒンジ部２２と、幕板１０を揺動支持するための下側ヒンジ部２３とが設けられている。
【００２６】
筐体枠４は、パチンコ機２を遊技機設置店に設置する際に、パチンコ機を複数並べて配置するための遊技機島（図示せず。）に対して釘を打ち込んで固定する固定部としての機能を有する。パチンコ機２を遊技機島に対して確実に固定するためには、筐体枠４の内周面（例えば、内周面底部４ａ。）の適切な位置に釘を打ち込む必要があり、本実施の形態１においては、その適切な位置を示すための下穴４ｂが形成されている。
【００２７】
遊技盤６は、このパチンコ機２において、遊技媒体としての球３６の流下による遊技を実現するためのものであり、その表面の遊技盤面６ａ上には遊技領域６ｂが形成されている。遊技盤面６ａには、略円形状に周囲を囲むようにレール飾り１８が取り付けられ、遊技領域６ｂは、このレール飾り１８の内側に形成された内側面１８ａによって囲まれている。
【００２８】
その遊技領域６ｂ内には多数のゲージ２５、普通入賞口２６、始動入賞口２８、大入賞口３０、アウト口３２、その他の各種役物が配置されている。また、遊技領域６ｂの略中央に画像表示装置３４が配置されている。なお、ゲージ（釘）２５は遊技領域６ｂを流下する球３６の流下方向を変化させるためのものであるが詳細は省略する。
【００２９】
普通入賞口２６は、遊技領域６ｂの複数箇所に形成された入賞口であり、球３６が普通入賞口２６に入賞した際に所定個数の球３６が景品として払い出されるようになっている。
【００３０】
始動入賞口２８は、遊技領域６ｂの中央下方部に形成されている。本実施の形態１においては、始動入賞口２８のさらに下方に大入賞口３０が形成されている。大入賞口３０のすぐ下方には、アウト口３２が形成されている。
【００３１】
始動入賞口２８は、遊技領域６ｂの中央部下方に形成された入賞口である。球３６が始動入賞口２８に入賞すると、画像表示装置３４に表示されている変動用の図柄が、変動を開始するようになっている。また、始動入賞口２８に球３６が入賞した際にも所定個数の球３６が景品として払い出される。
【００３２】
大入賞口３０は、球３６が入賞しやすい開状態と、球３６が入賞しにくい閉状態とに可変とされている。その開閉制御は、画像表示装置３４の表示態様に基づいて行われ、画像表示装置３４に特定の態様（例えば、「７・７・７」。）が停止表示されると大入賞口３０が開状態とされ球３６が入賞しやすくなるように構成されている。大入賞口３０に球３６が入賞した際にも所定個数の球３６が景品として払い出されるようになっている。
【００３３】
アウト口３２は、遊技領域６ｂの中央最下端近傍に形成された開口であり、遊技領域６ｂの最下端まで流下した球３６、すなわちいずれの入賞口２６，２８，３０にも入賞しなかった球３６を流入させるためのものである。アウト口３２に流入した球３６は、パチンコ機２の外部に排出されるようになっている。
【００３４】
遊技盤６の裏側には、入賞口２６，２８，３０に入賞した球や、アウト口３２に流入した球を外部に排出するための球経路（図示せず。）も形成されている。
【００３５】
画像表示装置３４は、変動用の図柄やその背景図柄を含めた画像を表示するために遊技領域６ｂの略中央に設けられた装置である。この画像表示装置３４に表示された変動用の図柄が変動して、図柄変動等の遊技演出が行われる。
【００３６】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されて上側ヒンジ部２２において筐体枠４に揺動支持され、筐体枠４に対して前面開閉可能とされている。
【００３７】
機枠８は、樹脂又は金属によって形成され、その裏側には裏機構盤（図示せず。）が配置される。その裏機構盤には、入賞球を計数して排出処理する入賞球処理装置（図示せず。）、景品としての球を計数して払い出す景品球払出装置（図示せず。）等が配置されている。
【００３８】
機枠８が筐体枠４に対して前面開閉可能とされているので、機枠８を開けば、その裏側に配置された入賞球処理装置のメンテナンスや、機枠８に保持された遊技盤６の裏側に形成された球経路で発生した球詰まりの解消等を比較的簡単に行うことができる。
【００３９】
機枠８には、球発射装置（図示せず。）も取り付けられている。球発射装置は、球供給装置によって送り出されて球発射位置に停止保持される球３６を遊技領域６ｂの上部に向けて発射（弾球）するためのものである。球発射装置は、例えば球発射位置に送り出された球３６を遊技領域６ｂに向けて弾球する発射杆、その発射杆を駆動して弾球往復動を行わせる発射モータ、発射杆を付勢して弾球のための力を発生させる発射バネ等を有してユニット構成されている。
【００４０】
球発射装置により球３６が遊技領域６ｂ内の上部に向けて発射されると、球３６がゲージ２５に衝突してその流下方向を変えつつ遊技領域６ｂ内を流下するようになっている。その流下の途中で、あるものは普通入賞口２６に入賞して球の払出しの契機となり、あるものは始動入賞口２８に入賞して画像表示装置３４による図柄の変動開始の契機となり、また、あるものはいずれの入賞口２６，２８，３０にも入賞せずにアウト口３２からパチンコ機２の外部へと排出される。
【００４１】
幕板１０は、機枠８の下方に配置された板部材であり、筐体枠４の前面下方部分を覆うものである。本実施の形態１においては、幕板１０は、筐体枠４に対して前面開閉可能とされている。幕板１０は、筐体枠４に対して下側ヒンジ部２３において軸支され、その下側ヒンジ部２３を軸にした揺動によって、筐体枠４に対する開閉が実現されている。
【００４２】
スピーカ１１は、横長の略箱状の形状を呈しており、幕板１０の裏面１０ａに固定されている。スピーカ１１は、音響演出を行うための内部機器であり、例えば画像表示装置３４で行われる図柄変動等の遊技演出に併せて様々な音声を発生し、その遊技演出を盛り上げるための機器である。
【００４３】
幕板１０の筐体枠４に対する閉状態時にスピーカ１１は、図２（ａ）に示すように幕板１０の裏面１０ａからパチンコ機２後方に向けて突出している。そして、スピーカ１１は、筐体枠４の内周面底部４ａに形成された下穴４ｂを覆うように配置されているため、下穴４ｂの位置に釘を打ち込むことが困難になっている。
【００４４】
幕板１０を筐体枠４に対して開状態とすると、幕板１０とともに移動したスピーカ１１は、図２（ｂ）に示すように内周面底部４ａの下穴４ｂを覆う位置から移動するようになっている。したがって、幕板１０を開状態としてパチンコ機２を遊技機島に設置すれば、スピーカ１１に邪魔されることなく、下穴４ｂの位置に確実に釘を打ち込むことができる。
【００４５】
本実施の形態１では、内部機器としてスピーカ１１を配置しているが、これに限られず電球やＬＥＤを有してパチンコ機２を装飾するための装飾部材や、パチンコ機２での遊技を制御するための各種制御基板を収容した基板ボックス等であってももちろん構わない。
【００４６】
皿枠１２は、機枠８の前面側下方に配置され、上側ヒンジ部２２を介して筐体枠４に前面開閉可能に軸支された枠部材である。皿枠１２は、上皿１２ａ、下皿１２ｂ及び発射ハンドル４２を有して構成されている。
【００４７】
上皿１２ａは、球３６を球発射装置に導くべく貯留するためのもので、下皿１２ｂとともに遊技者の持ち球を貯留する機能を有する。上皿１２ａは、景品としてパチンコ機２から払い出された球３６を受け取る機能や、その球３６を、球供給装置を介して球発射装置に導くべく貯留する機能も有している。
【００４８】
上皿１２ａは、パチンコ機２の前面であって遊技盤６の下方、すなわち装飾枠１６の下方部分に配置され、下皿１２ｂは、その上皿１２ａの更に下方に配置されている。遊技者が遊技を終了する場合には、上皿１２ａに貯留された球３６を球排出ボタン１２ｃによって下皿１２ｂへと排出することができるようになっている。
【００４９】
本実施の形態１においては、上皿１２ａと下皿１２ｂとを別々に構成しているが、もちろん上皿１２ａと下皿１２ｂとが一体となって１つの球皿が構成されていてもよい。
【００５０】
発射ハンドル４２は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆４２ａが回転可能となっている。遊技者は、発射ハンドル４２を手で保持しつつ、強度調整杆４２ａを回転させることにより、球３６の発射強度を調整することができるようになっている。
【００５１】
前面ガラス１４は、遊技盤６に対して一定距離離間して配置された前面透明板である。前面ガラス１４は透明平板ガラスで形成され、遊技盤６との間に球３６が流下する流下スペースを形成する機能、遊技者が前面ガラス１４を通して遊技盤６を視認できるように視認性を確保する機能、遊技者が遊技盤６に不正にアクセス（接触）できないように不正アクセスを防止する機能、を発揮する。
【００５２】
前面透明板としてはガラス素材の前面ガラス１４の他に、もちろん透明アクリル等の樹脂材料が使用されてもよい。また、本実施の形態１においては、前面ガラス１４が装飾枠１６に保持されるが、前面ガラス１４が遊技盤６の前面に取り付けられて、遊技盤６とともに機枠８に保持されるように構成されていてもよい。
【００５３】
装飾枠１６は、筐体枠４に対して前面開閉可能に揺動支持された枠体である。本実施の形態１においては、装飾枠１６は上側ヒンジ部２２において機枠８とともに揺動支持されている。
【００５４】
［実施の形態２］
以下、本発明の実施の形態２について図面を用いて説明する。図３は、本発明の実施の形態２に係る遊技機としてのパチンコ機５２の外観を示す外観斜視図である。
【００５５】
パチンコ機５２は、筐体枠５４、遊技盤５６、機枠５８を有しているが、これらについては本実施の形態１と略同様の機能・構成であるので詳細は省略する。
【００５６】
パチンコ機５２はさらに、幕板６０及び内部機器としてのスピーカ６１を有している。幕板６０の裏面にはスピーカ６１が固定されているとともに、幕板６０は筐体枠５４に着脱可能とされている。幕板６０は、筐体枠５４内部にスピーカ６１を押し込んで、幕板の裏面と筐体枠５４とを当接させた状態で、鍵穴６２に鍵（図示せず。）を差し込んでその鍵を回転させることで、筐体枠に対して固定できるようになっている。
【００５７】
パチンコ機５２の遊技機島への設置時には、幕板６０を取り外すことで、スピーカ６１に邪魔されることなく、筐体枠５４の適切な位置（下穴５４ｂの位置。）に釘を打ち込んで固定することができる。
【００５８】
以上、本発明の好ましい実施の形態を説明したが、本発明はこれらに限定されるものではなく、その要旨の範囲内で様々な変形や変更が可能である。
【図面の簡単な説明】
【００５９】
【図１】本発明の実施の形態１に係るパチンコ機の外観斜視図である。
【図２】図１のパチンコ機を皿枠と幕板との間で切断した断面図であって、（ａ）幕板の閉状態時、（ｂ）幕板の開状態時を示す図である。
【図３】本発明の実施の形態２に係るパチンコ機の外観斜視図である。
【符号の説明】
【００６０】
２：パチンコ機（遊技機）
４：筐体枠（固定部）
４ａ：内周面底部
４ｂ：下穴
６：遊技盤
６ａ：遊技盤面
６ｂ：遊技領域
８：機枠
１０：幕板
１０ａ：裏面
１１：スピーカ（内部機器）
１２：皿枠
１２ａ：上皿
１２ｂ：下皿
１２ｃ：球排出ボタン
１４：前面ガラス（前面透明板）
１６：装飾枠
１８：レール飾り
１８ａ：内側面
２２：上側ヒンジ部
２３：下側ヒンジ部
２５：ゲージ（釘）
２６：普通入賞口
２８：始動入賞口
３０：大入賞口
３２：アウト口
３４：画像表示装置
３６：球（遊技媒体）
４２：発射ハンドル
４２ａ：強度調整杆
５２：パチンコ機
５４：筐体枠
５４ｂ：下穴
５６：遊技盤
５８：機枠
６０：幕板
６１：スピーカ
６２：鍵穴
【図１】
2008194287.tif 000003
【図２】
2008194287.tif 000004
【図３】
2008194287.tif 000005